(57)【要約】【課題】オペレータに煩雑な作業を強いることなく登録済素材の字幕付加状況の確認を短時間で正確に実行できるようにし、これによりファイリング業務の軽減を図り得る字幕チェック装置を提供する。【解決手段】番組サーバ１において、字幕素材データを付加した映像素材データがＭＸＦファイルとして生成され記憶部１２に記録された後、マージ１１からの起動指示を字幕データ検出部１３が受けて、字幕データ検出部１３により自動的に記憶部１２から映像素材ファイルが指定された再生秒数だけ再生して、映像素材ファイルのＡＮＣデータ領域から字幕素材データを抽出し、この字幕素材データの字幕管理データ及び字幕文データの一部をチェックするようにしている。【選択図】図２
2009260823.tif 000002
【特許請求の範囲】
【請求項１】
映像素材データの補助領域に多重され少なくとも映像表示に合わせて字幕を表示するための管理データと表示される字幕内容を表す文データとを備える字幕素材データをファイル形式で記録媒体に記録する番組サーバに用いられ、前記記録媒体中の字幕素材データをチェックする字幕チェック装置において、
前記記録媒体上のファイル生成時に、前記記録媒体から映像素材ファイルを、少なくとも前記管理データと前記文データの一部との合計データ長に相当する再生指定時間だけ自動的に再生する再生手段と、
この再生手段により再生される映像素材ファイルの補助領域から字幕素材データを抽出する抽出手段と、
この抽出手段により抽出される字幕素材データの前記管理データ及び前記文データの一部をチェックするチェック手段とを具備したことを特徴とする字幕チェック装置。
【請求項２】
さらに、前記チェック手段によるチェック結果と別途提供されるファイリング情報とを照合する照合手段とを備えたことを特徴とする請求項１記載の字幕チェック装置。
【請求項３】
前記チェック手段によるチェック結果、前記照合手段の照合結果を外部に通知する通知手段をさらに備えることを特徴とする請求項２記載の字幕チェック装置。
【請求項４】
前記チェック手段は、前記管理データの有無をチェックし、前記管理データが存在する場合に、再生を継続しながら前記文データをチェックすることを特徴とする請求項１記載の字幕チェック装置。
【請求項５】
前記再生手段による再生指定時間は、任意に設定可能であることを特徴とする請求項１記載の字幕チェック装置。
【請求項６】
前記チェック手段は、再生される前記映像素材ファイルから前記字幕素材データが検出された時点をチェック開始点とし、このチェック開始点から前記再生指定時間分の映像から前記管理データ及び前記文データの一部をチェックすることを特徴とする請求項１記載の字幕チェック装置。
【請求項７】
映像素材データの補助領域に多重され少なくとも映像表示に合わせて字幕を表示するための管理データと表示される字幕内容を表す文データとを備える字幕素材データをファイル形式で記録媒体に記録する番組サーバに用いられ、前記記録媒体中の字幕素材データをチェックする字幕チェック方法において、
前記記録媒体上のファイル生成時に、前記記録媒体から映像素材ファイルを、少なくとも前記管理データと前記文データの一部との合計データ長に相当する再生指定時間だけ自動的に再生し、
この再生される映像素材ファイルの補助領域から字幕素材データを抽出し、
この抽出される字幕素材データの前記管理データ及び前記文データの一部をチェックするようにしたことを特徴とする字幕チェック方法。
【発明の詳細な説明】
【技術分野】
【０００１】
この発明は、字幕放送番組の送出素材を格納する放送番組送出システムに係り、特にサーバに格納された字幕素材の内容をチェックする字幕チェック装置及び字幕チェック方法に関する。
【背景技術】
【０００２】
現在、普及が進められている地上デジタル放送にあっては、視覚効果を高めると共に視聴覚障害者の視聴を配慮するために、番組の映像表示に合わせて画面上の指定位置に字幕を表示する機能が盛り込まれている。
【０００３】
ところで、放送局内では、字幕放送番組の送出素材を予め番組サーバに格納しておき、自動番組送出制御装置（ＡＰＣ）からの指示に従って該当する素材を再生し、オンエアを行うようになっている。このようなオンエア処理において、通常、オンエア前に、番組サーバへ登録済みの字幕データ込みの映像素材に漏れなく字幕データが付加されていることを確認するための確認作業が行われている（例えば、特許文献１）。
【特許文献１】特開２００３−３１９４２３公報。
【発明の開示】
【発明が解決しようとする課題】
【０００４】
ところが、上記確認作業は、オペレータが番組サーバから順次字幕素材を読み出し、早送り再生、飛び越し再生によってプレビューを行っており、煩雑な作業が強いられている。
【０００５】
そこで、この発明の目的は、オペレータに煩雑な作業を強いることなく登録済素材の字幕付加状況の確認を短時間で正確に実行できるようにし、これによりファイリング業務の軽減を図り得る字幕チェック装置及び字幕チェック方法を提供することにある。
【課題を解決するための手段】
【０００６】
この発明に係る字幕チェック装置は、映像素材データの補助領域に多重され少なくとも映像表示に合わせて字幕を表示するための管理データと表示される字幕内容を表す文データとを備える字幕素材データをファイル形式で記録媒体に記録する番組サーバに用いられ、前記記録媒体中の字幕素材データをチェックする字幕チェック装置において、記録媒体上のファイル生成時に、記録媒体から映像素材ファイルを、少なくとも管理データと文データの一部との合計データ長に相当する再生指定時間だけ自動的に再生する再生手段と、この再生手段により再生される映像素材ファイルの補助領域から字幕素材データを抽出する抽出手段と、この抽出手段により抽出される字幕素材データの管理データ及び文データの一部をチェックするチェック手段とを備えるようにしたものである。
【０００７】
この構成によれば、番組サーバの記録媒体に、字幕素材データを付加した映像素材データが記録されファイル化された時点で、自動的に記録媒体から映像素材ファイルが少なくとも管理データと文データの一部との合計データ長に相当する再生指定時間だけ再生され、字幕素材データの管理データ及び文データの一部がチェックされることになる。
【０００８】
従って、オペレータが記録媒体上の字幕素材を付加した映像素材ファイルを指定してプレビュー操作することなく、記録媒体に登録済の素材の字幕付加状況の確認を短時間で正確に実行できるようになり、これによりファイリング業務が軽減される。
【０００９】
さらに、チェック手段によるチェック結果と別途提供されるファイリング情報とを照合する照合手段とを備えたことを特徴とする。
【００１０】
この構成によれば、さらに、チェック結果と別途提供されるファイリング情報とを照合するようにしているので、登録済素材の字幕付加状況の確認上の信頼性をさらに向上することができる。
【００１１】
チェック手段によるチェック結果、照合手段の照合結果を外部に通知する通知手段をさらに備えることを特徴とする。
【００１２】
この構成によれば、オペレータが登録済素材の字幕付加状況を即座に知ることができる。
【００１３】
再生手段による再生指定時間は、任意に設定可能であることを特徴とする。
【００１４】
この構成によれば、放送局の運用形態に合わせて変更可能である。
【００１５】
チェック手段は、再生される前記映像素材ファイルから字幕素材データが検出された時点をチェック開始点とし、このチェック開始点から再生指定時間分の映像から管理データ及び文データの一部をチェックすることを特徴とする。
【００１６】
この構成によれば、字幕文は映像先頭からすぐに重畳されているとは限らないため、最初に字幕が出てきたところから指定された再生時間分の映像を確認の対象とすることができる。
【発明の効果】
【００１７】
以上詳述したようにこの発明によれば、オペレータに煩雑な作業を強いることなく登録済素材の字幕付加状況の確認を短時間で正確に実行できるようにし、これによりファイリング業務の軽減を図り得る字幕チェック装置及び字幕チェック方法を提供することができる。
【発明を実施するための最良の形態】
【００１８】
以下、この発明の実施形態について図面を参照して詳細に説明する。  
まず、この発明に係る実施形態を説明するに先立ち、映像素材に重畳される字幕素材データの構造について説明する。
【００１９】
図１は、映像素材及び字幕素材の構造を示すものである。
【００２０】
映像素材データにはヘッダ部とＡＮＣ（アンシラリ：補助）データ部と本体部がある。ヘッダ部には、映像素材の先頭部を示す同期バイトの他、ヘッダ部に続くデータの内容などが含まれる。ＡＮＣデータ部には、ＶＡＮＣ字幕データが含まれる。本体部には、ＨＤ(High Definition:１１２５ライン方式)フォーマット用のＳＤＩ映像信号、またはＳＤ（Standard Definition：５２５ライン方式）フォーマット用のＳＤＩ映像信号が存在する。
【００２１】
ＶＡＮＣ字幕データは、ＡＮＣ領域内の１９ラインに重畳される。ＶＡＮＣ字幕データには、字幕識別フィールドとデータワードがある。データワードには、字幕管理データと字幕文データが含まれる。字幕管理データは、映像信号のＡＮＣデータ領域に字幕文データを重畳するために必要なデータで、字幕言語種別や送出モード等の管理情報を含む。また、字幕付きの映像には、テレビジョン受信機で提示するために必要な字幕管理データが周期的に重畳される。字幕文データは、映像画面に表示される字幕本文のデータである。
【００２２】
図２は、この発明の一実施形態となる字幕チェック装置とその周辺構成を示すブロック図である。図２において、符号１は番組サーバで、予めオンエア用放送番組の素材データをマージ１１でＭＸＦ(material exchange format)ファイル化して記憶部１２に格納しておくもので、バス２を通じてＡＰＣ３から与えられるオンエア指示信号に応じて、該当するＭＸＦファイルを選択的に再生する。この再生データは、図示しないデコーダによりビデオ信号にデコードされてオンエア出力される。また、バス２には、営放システム４が接続される。
【００２３】
この番組サーバ１には、この発明に係わる字幕データ検出部１３と、外部通知部１４とを備えている。この字幕データ検出部１３は、再生機能１３１と、字幕抽出機能１３２と、字幕チェック機能１３３と、整合チェック機能１３４とを備えている。
【００２４】
再生機能１３１は、ＭＸＦファイルが生成されることでマージ１１から起動指示が入力されると、記憶部１２からＭＸＦファイル化された映像素材ファイルを、指定された再生秒数だけ自動的に再生する。
【００２５】
字幕抽出機能１３２は、上記再生機能１３１により再生される映像素材ファイルのＡＮＣデータ領域から字幕素材データを抽出する。
【００２６】
字幕チェック機能１３３は、この字幕抽出機能１３２により抽出される字幕素材データの字幕管理データ及び字幕文データの一部をチェックする。
【００２７】
整合チェック機能１３４は、字幕チェック機能１３３によるチェック結果と営放システム４から提供されるファイリング情報とを照合する。
【００２８】
外部通知部１４は、上記字幕チェック機能１３３において、字幕管理データが無い、または周期が正しくないなどの異常が検出された場合や、上記整合チェック機能１３４において、不整合の場合に、その旨のメッセージをアラーム出力、タリー出力等により外部に通知する。
【００２９】
上記構成において、以下に字幕チェック処理について説明する。  
図３は、上記字幕データ検出部１３の処理手順を示すフローチャートである。まず、字幕データ検出部１３は、マージ１１からの起動指示入力を判断し（ステップＳＴ３ａ）、起動指示があった場合に（Ｙｅｓ）、記憶部１２から登録済みとなる字幕素材を重畳した映像素材ファイルを指定された再生秒数だけアンラップ、デコードして再生し（ステップＳＴ３ｂ）、この映像素材ファイルのＡＮＣデータ領域に重畳されている字幕素材データを抽出し（ステップＳＴ３ｃ）、字幕管理データの有無をチェックし（ステップＳＴ３ｄ）、字幕重畳の有無を確認する（ステップＳＴ３ｅ）。
【００３０】
ここで、字幕管理データがない、または周期が正しくないなどの異常が検出された場合（Ｎｏ）、字幕データ検出部１３は、異常の旨のメッセージを外部通知部１４から例えば図示しないモニタに供給して表示させる（ステップＳＴ３ｆ）。従って、この表示によりオペレータは字幕付きの映像素材に異常があった旨をリアルタイムに知ることができる。
【００３１】
一方、字幕管理データが正しく存在することが確認できた場合（Ｙｅｓ）、字幕データ検出部１３は、再生を継続しながら字幕文データをチェックし（ステップＳＴ３ｇ）、このチェック結果と営放システム４から提供されるファイリング情報とを照合し（ステップＳＴ３ｈ）、不整合があるか否かの判断を行う（ステップＳＴ３ｉ）。
【００３２】
ここで、不整合がある場合には（Ｙｅｓ）、字幕データ検出部１３は、上記ステップＳＴ３ｆに移行して不整合の旨のメッセージを外部通知部１４から例えば図示しないモニタに供給して表示させる。
【００３３】
そして、字幕データ検出部１３は、ステップＳＴ３ｄからステップＳＴ３ｊの処理を指定された再生秒数を経過するまで、繰り返し実行し、数回〜数十回の字幕文データの重畳を確認する。以後、再生秒数を経過した場合には、字幕素材のチェック処理を終了する。
【００３４】
なお、字幕文データは、映像先頭からすぐに重畳されているとは限らないため、最初に出てきたところから指定された再生秒数分の映像を確認の対象とする。
【００３５】
また、再生秒数は、オペレータの手動操作により任意に変更可能である。
【００３６】
以上のように上記実施形態では、番組サーバ１において、字幕素材データを付加した映像素材データがＭＸＦファイルとして生成され記憶部１２に記録された後、マージ１１からの起動指示を字幕データ検出部１３が受けて、字幕データ検出部１３により自動的に記憶部１２から映像素材ファイルが指定された再生秒数だけ再生して、映像素材ファイルのＡＮＣデータ領域から字幕素材データを抽出し、この字幕素材データの字幕管理データ及び字幕文データの一部をチェックするようにしている。
【００３７】
従って、オペレータが記憶部１２上の字幕素材を付加した映像素材ファイルを指定してプレビュー操作することなく、記憶部１２に登録済の素材の字幕付加状況の確認を短時間で正確に実行できるようになり、これによりファイリング業務が軽減される。
【００３８】
また、上記実施形態では、字幕データ検出部１３の字幕チェック機能１３３によるチェック結果と営放システム４から提供されるファイリング情報とを照合するようにしているので、登録済素材の字幕付加状況の確認上の信頼性をさらに向上することができる。
【００３９】
また、上記実施形態では、字幕データ検出部１３の字幕チェック機能１３３によるチェック結果及び整合チェック機能１３４によるチェック結果を外部通知部１４により外部に通知するようにしているので、オペレータは登録済素材の字幕付加状況を即座に知ることができる。
【００４０】
さらに、上記実施形態では、番組サーバ１の記憶部１２上の映像素材ファイルの再生指定時間を任意に設定可能であるため、放送局の運用形態に合わせて再生時間を変更することができる。
【００４１】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】この発明の一実施形態で取り扱う映像素材及び字幕素材の構造を示す図。
【図２】この発明の一実施形態となる字幕チェック装置とその周辺構成を示すブロック図。
【図３】同実施形態における字幕データ検出部の処理手順を示すフローチャート。
【符号の説明】
【００４３】
１…番組サーバ、２…バス、３…ＡＰＣ（自動番組送出制御装置）、４…営放システム、１１…マージ、１２…記憶部、１３…字幕データ検出部、１４…外部通知部、１３１…再生機能、１３２…字幕抽出機能、１３３…字幕チェック機能、１３４…整合チェック機能。
【図１】
2009260823.tif 000003
【図２】
2009260823.tif 000004
【図３】
2009260823.tif 000005